(57)【要約】【課題】長距離伝送されてきたアナログビデオ信号を使って画像を再生するに際し、再生画像の品質を向上させる。【解決手段】同期信号ＳＳを含むアナログのビデオ信号ＶＳを送信器３から受信器４までツイストペアケーブル２を介して伝送するように構成された信号伝送装置１において、メモリ部６は解像度別の遮断周波数のデータを保存し、カウンタ部７は、所定の期間内に伝送される同期信号ＳＳの数をカウントし、遮断周波数読み出し部８は、前記カウンタ部７がカウントした同期信号ＳＳの数に応じたデータを前記メモリ部６から読み出し、フィルタ部５は、該遮断周波数読み出し部８が読み出したデータに基づき、その遮断周波数よりも高周波の帯域の成分を伝送されてきたビデオ信号ＶＳから除去する。したがって、解像度に関わらず、再生画像の品質を向上させることができる。【選択図】図１
2011066588.tif 000002
【特許請求の範囲】
【請求項１】
同期信号を含むアナログのビデオ信号を送信器から受信器までツイストペアケーブルを介して伝送するように構成された信号伝送装置において、
所定の期間内に伝送される同期信号の数をカウントするカウンタ部と、
解像度別の遮断周波数のデータを保存するメモリ部と、
前記カウンタ部がカウントした同期信号の数に応じた解像度に関する遮断周波数のデータを前記メモリ部から読み出す遮断周波数読み出し部と、
該遮断周波数読み出し部が読み出したデータに基づき、その遮断周波数よりも高周波の帯域の成分をビデオ信号から除去するフィルタ部と、
を備えたことを特徴とする信号伝送装置。
【請求項２】
前記カウンタ部が前記送信器の側に配置され、前記フィルタ部が前記受信器の側に配置されてなる、
ことを特徴とする請求項１に記載の信号伝送装置。
【発明の詳細な説明】
【技術分野】
【０００１】
本発明は、同期信号を含むアナログのビデオ信号をツイストペアケーブルを介して伝送するように構成された信号伝送装置に関する。
【背景技術】
【０００２】
従来、同期信号を含むアナログのビデオ信号をツイストペアケーブルを介して伝送するように構成された装置（以下、“信号伝送装置”とする）については種々の構成のものが提案されている（例えば、特許文献１参照）。
【０００３】
図３は、そのような信号伝送装置の従来構成の一例を示す模式図であり、符号２３は、同期信号を含むアナログのビデオ信号ＶＳを送信するように構成された送信器を示し、符号２２は、該送信器２３に接続されて該送信器２３からの信号を伝送するツイストペアケーブル（例えば、カテゴリー５のツイストペアケーブル）を示し、符号２４は、該ツイストペアケーブル２２に接続されていて該ケーブル２２からの信号を受信する受信器を示す。また、符号２１は、送信器２３にビデオ信号等を入力するためのパソコンを示し、符号２５は、受信器２４からのビデオ信号等を受けて画像を再生するモニター部を示す。
【先行技術文献】
【特許文献】
【０００４】
【特許文献１】特開２００８−１７２５５８号公報
【発明の概要】
【発明が解決しようとする課題】
【０００５】
ところで、アナログのビデオ信号ＶＳの長距離伝送を行った場合には高周波の成分が減衰してしまうので、該ビデオ信号をイコライザ（不図示）に通して該減衰している高周波成分を増幅することが一般に行われている。しかし、そのように高周波成分を増幅すると該成分中のノイズ成分も増幅されてしまうこととなる。そして、このようなノイズ成分を含んだビデオ信号ＶＳを使って前記受信器側で画像を再生しようとすると、再生画像の品質が悪くなってしまい、再生画像の品質をあるレベル以上のものにするには、送信器２３から受信器２４までの伝送距離が短く制限されてしまうという問題があった。このような問題は、低解像度の画像を再生する場合に特に顕著であった。
【０００６】
本発明は、上述の問題を解消することのできる信号伝送装置を提供することを目的とするものである。
【課題を解決するための手段】
【０００７】
請求項１に係る発明は、図１に例示するものであって、同期信号（ＳＳ）を含むアナログのビデオ信号（ＶＳ）を送信器（３）から受信器（４）までツイストペアケーブル（２）を介して伝送するように構成された信号伝送装置（１）において、
所定の期間内に伝送される同期信号（ＳＳ）の数をカウントするカウンタ部（７）と、
解像度別の遮断周波数のデータを保存するメモリ部（６）と、
前記カウンタ部（７）がカウントした同期信号（ＳＳ）の数に応じた解像度に関する遮断周波数のデータを前記メモリ部（６）から読み出す遮断周波数読み出し部（８）と、
該遮断周波数読み出し部（８）が読み出したデータに基づき、その遮断周波数よりも高周波の帯域の成分をビデオ信号（ＶＳ）から除去するフィルタ部（５）と、を備えたことを特徴とする。
【０００８】
請求項２に係る発明は、請求項１に係る発明において、前記カウンタ部（７）が前記送信器（３）の側に配置され、前記フィルタ部（５）が前記受信器（４）の側に配置されてなることを特徴とする。
【０００９】
なお、括弧内の番号などは、図面における対応する要素を示す便宜的なものであり、従って、本記述は図面上の記載に限定拘束されるものではない。
【発明の効果】
【００１０】
請求項１に係る発明によれば、ノイズ成分が比較的多く含まれる帯域の成分（つまり、遮断周波数よりも高周波の帯域の成分）が画像再生前に除去されるので、再生画像中のノイズを低減することが出来、再生画像の品質を向上させることができる。そのため、送信器から受信器までの伝送距離を長く出来、本発明者らは、ＸＧＡ程度の低解像度の映像を再生する場合に特に有効であることを確認している。また、本発明によれば、前記受信器の側でビデオ信号の増幅（つまり、既述したように、長距離伝送に伴う信号の減衰を補償するための信号増幅）を行った場合でも、上述のノイズ成分が除去されるので、再生画像の品質が悪くなってしまうという問題も無い。
【００１１】
請求項２に係る発明によれば、１つの送信器に複数の受信器を接続する場合でも、カウンタ部は送信器に１つだけ配置すれば足りるので、その分、装置のコストを削減することができる。
【図面の簡単な説明】
【００１２】
【図１】図１は、本発明に係る信号伝送装置の構成の一例を示すブロック図である。
【図２】図２は、本発明に係る信号伝送装置の構成の他の例を示すブロック図である。
【図３】図３は、信号伝送装置の従来構成の一例を示す模式図である。
【発明を実施するための形態】
【００１３】
以下、図１及び図２に沿って、本発明の実施の形態について説明する。
【００１４】
本発明に係る信号伝送装置は、図１に符号１で例示するものであって、
・  ツイストペアケーブル（例えば、カテゴリー５のツイストペアケーブル）２の一端側に接続されてアナログのビデオ信号（すなわち、同期信号ＳＳを含むコンポーネント映像信号やコンポジット映像信号）ＶＳを送信する送信器３と、
・  前記ツイストペアケーブル２の他端側に接続されて前記送信器３から伝送されてきたビデオ信号ＶＳを受信する受信器４と、
を備えている。
【００１５】
ところで、既述したように、アナログのビデオ信号ＶＳの長距離伝送を行おうとすると、高周波の帯域（つまり、ある周波数よりも高周波の帯域）では低周波の帯域（該周波数よりも低周波の帯域）に比べてノイズ成分が多くなってしまうという傾向がある。そこで、本発明に係る信号伝送装置１においては、前記受信器４の側にフィルタ部５を設けておいて、伝送されてきたビデオ信号ＶＳから、高周波の帯域の成分（つまり、所定の周波数よりも高周波の帯域の成分）を除去（遮断）するように構成している。なお、本明細書においては、その“所定の周波数”を遮断周波数と称することとする。
【００１６】
ノイズ成分を多く含む帯域（高周波の帯域）は、再生する画像の解像度に応じて異なり、該解像度が高くなればなるほどノイズ成分を多く含む帯域は高域側に移行する。そこで、本発明に係る信号伝送装置１はメモリ部６を有しており、再生画像の解像度別に適正な遮断周波数のデータを記憶できるように構成されている。
【００１７】
なお、再生画像の解像度は、そもそも、ビデオ信号ＶＳに含まれる同期信号（水平同期信号）ＳＳの数で決定されるものである。そこで、本発明に係る信号伝送装置１にはカウンタ部７を設けておいて、所定の期間内に伝送される該同期信号ＳＳの数（具体的には、ある垂直同期信号と次の垂直同期信号との間の水平同期信号数）をカウントするように構成されている。
【００１８】
そして、本発明に係る信号伝送装置１は、遮断周波数読み出し部８を備えていて、このカウンタ部７からの信号に基づいて遮断周波数データ（前記カウンタ部７がカウントした同期信号の数に応じた解像度に関するデータ）を前記メモリ部６から読み出すように構成されている。該読み出されたデータは上述のフィルタ部５に送られ、該フィルタ部５は、該遮断周波数読み出し部８が読み出したデータに基づき、その遮断周波数よりも高周波の帯域の成分を除去することとなる。なお、上述の送信器３にはビデオ信号以外に音声信号や制御信号が入力されるようにしておいて、データ処理部９で種々の処理（例えば、ＡＤ変換や周波数変調等）を行って受信器４に送信できるようにしておくと良い。その場合には、受信器４にもデータ処理部１０を設けておいて種々の処理（例えば、ＤＡ変換や周波数変調等）を行えるようにしておくと良い。
【００１９】
なお、上述のメモリ部６には、遮断周波数のデータを同期信号ＳＳの数に関連付けて保存しておいて、前記カウンタ部７からの信号に基づいて前記遮断周波数読み出し部８が該メモリ部６からデータを読み出すように構成すると良いが、本発明の範囲がその構成に限定解釈されるものでは無い。例えば、前記カウンタ部７がカウントした同期信号の数を何らかのパラメータ（例えば、解像度）に変換できるようにしておき、前記メモリ部６には、遮断周波数のデータをそのパラメータに関連付けて保存しておき、該メモリ部６から適正なデータが読み出されるように構成しても良い。
【００２０】
本発明によれば、ノイズ成分が比較的多く含まれる帯域の成分（つまり、遮断周波数よりも高周波の帯域の成分）が画像再生前に除去されるので、再生画像中のノイズを低減することが出来、再生画像の品質を向上させることができる。そのため、送信器３から受信器４までの伝送距離を長く出来、本発明者らは、ＳＸＧＡ程度の低解像度の映像を再生する場合に特に有効であることを確認している。また、本発明によれば、前記受信器３の側でビデオ信号の増幅（つまり、既述したように、長距離伝送に伴う信号の減衰を補償するための信号増幅）を行った場合でも、上述のノイズ成分が除去されるので、再生画像の品質が悪くなってしまうという問題も無い。
【００２１】
ところで、図１に示す信号伝送装置１のように、送信器３及び受信器４が１つずつ配置されている場合には、カウンタ部７は図示のような送信器３の側ではなく受信器４の側に設けても、どちらでも良い。しかし、図２に示すように、１つの送信器１３から複数の受信器１４に対して信号を伝送するように構成された信号伝送装置の場合には、カウンタ部７は送信器１３の側に配置すると良い。そのようにすると、カウンタ部７は送信器１３に１つだけ配置すれば足りるので、その分、装置のコストを削減することができる。なお、図２に示すように、カウンタ部７だけでなくメモリ部６や遮断周波数読み出し部８を送信器１３の側に配置すると、受信器側の構成をさらに簡素化してコストの削減を図ることができる。
【符号の説明】
【００２２】
１            信号伝送装置
２            ツイストペアケーブル
３            送信器
４            受信器
５            フィルタ部
６            メモリ部
７            カウンタ部
８            遮断周波数読み出し部
ＳＳ          同期信号
ＶＳ          ビデオ信号
【図１】
2011066588.tif 000003
【図２】
2011066588.tif 000004
【図３】
2011066588.tif 000005